(57)【特許請求の範囲】
【請求項１】
側面方向にトラップ排出口を有する排水トラップと、洗い場パンと、浴槽が載置される浴槽パンとを備える浴室の排水構造であって、
前記浴槽は、２つ以上の排水口を備え、
前記浴槽パンは、前記浴槽パン上に前記浴槽の一方の排水口からの排水を一時的に貯留させる貯水部を備え、
前記排水トラップは、前記浴槽の他方の排水口からの排水を浴槽配管を介して排水トラップ内に流入させるガイド部と、前記貯水部からの排水を排水トラップ内に流入させるトラップ排水口と、防臭パイプとを備え、
前記ガイド部は、ガイド部からの排水を排出するガイド部排出口が前記トラップ排出口へ向かうよう方向決めがなされて前記防臭パイプ内に配置される
ことを特徴とする浴室の排水構造。
【請求項２】
前記ガイド部のガイド部排出口は、前記防臭パイプの下端以下の高さ位置から前記トラップ排出口へ向けて排水を排出する
ことを特徴とする請求項１記載の浴室の排水構造。
【請求項３】
前記ガイド部のガイド部排出口は、平面視で前記トラップ排出口側に向けて扇状に広がる形状を有している
ことを特徴とする請求項１または２記載の浴室の排水構造。
【請求項４】
前記ガイド部は、前記防臭パイプ側へ突出する方向決めリブを備え、
当該方向決めリブと前記防臭パイプの内側に設けられたガイド受けとを合致させて方向決めがなされる
ことを特徴とする請求項１〜３のいずれか１項に記載の浴室の排水構造。
【請求項５】
前記ガイド部は、上方へ引き上げることで前記防臭パイプから着脱可能になっている
ことを特徴とする請求項１〜４のいずれか１項に記載の浴室の排水構造。
【請求項６】
洗い場パンと、２つ以上の排水口を有する浴槽が載置される浴槽パンとを備える浴室の排水構造に用いられる排水トラップであって、
前記浴槽の一方の排水口からの排水を浴槽配管を介して排水トラップ内に流入させるガイド部と、
前記浴槽の他方の排水口からの排水を前記浴槽パン上に一時的に貯留させる貯水部からの排水を排水トラップ内に流入させるトラップ排水口と、
防臭パイプと、側面方向にトラップ排出口とを備え、
前記ガイド部は、前記防臭パイプ内に配置され、
排水トラップに防臭パイプを取り付けたまま前記ガイド部をトラップ排水口から着脱可能とした
ことを特徴とする排水トラップ。
【発明の詳細な説明】
【技術分野】
【０００１】
本発明は、排水トラップを用いた浴室の排水構造に関する。
【背景技術】
【０００２】
重度の要介護者のための入浴機器として機械浴槽がある。機械浴槽は、ストレッチャーや車椅子等の専用の介護用機器を使用することにより仰臥位や座位のまま入浴可能とするもので、浴槽の側面を開閉して介護用機器を出入りさせる構造となっている（例えば、特許文献１参照。）。このような機械浴槽では、入浴者が出入りするごとに浴槽側面を開閉させる必要があるところ、浴槽内の水が満水状態で扉を開けると洗い場パン上に風呂水が流れ出してしまうため、浴槽内の水を排出してから扉の開閉をしなければならない。
【先行技術文献】
【特許文献】
【０００３】
【特許文献１】特開２００６−３３４３７５号公報
【発明の概要】
【発明が解決しようとする課題】
【０００４】
しかしながら、従来の浴室の排水構造では浴槽内の水を排出するのに時間がかかるという問題がある。機械浴槽において浴槽内の水が満水状態というのは入浴者がいる状況である。入浴者は排水の完了を待たなければならず、場合によっては湯冷めしてしまうため、機械浴槽では少しでも排水を迅速に行って扉が開閉可能になるまでの時間を短縮する必要がある。
【０００５】
そこで、本発明は、このような問題に鑑みなされたものであり、機械浴槽における排水時間を大幅に短縮可能な浴室の排水構造を提供することを目的とする。
【課題を解決するための手段】
【０００６】
上記の課題を解決するため、本発明に係る浴室の排水構造は、側面方向にトラップ排出口を有する排水トラップと、洗い場パンと、浴槽が載置される浴槽パンとを備える浴室の排水構造であって、前記浴槽は、２つ以上の排水口を備え、前記浴槽パンは、前記浴槽パン上に前記浴槽の一方の排水口からの排水を一時的に貯留させる貯水部を備え、前記排水トラップは、前記浴槽の他方の排水口からの排水を浴槽配管を介して排水トラップ内に流入させるガイド部と、前記貯水部からの排水を排水トラップ内に流入させるトラップ排水口と、防臭パイプとを備え、前記ガイド部は、ガイド部からの排水を排出するガイド部排出口が前記トラップ排出口へ向かうよう方向決めがなされて前記防臭パイプ内に配置されることを特徴とする。
【０００７】
これにより、浴槽の一方の排水口からの排水は浴槽配管からガイド部を経由して直接トラップ排出口へ向けて優先的に迅速に排出されるので、排水口を２つ設けたことによる排水性能の向上が図られ、排水時間を大幅に短縮することができる浴室の排水構造が実現される。
【０００８】
ここで、前記ガイド部のガイド部排出口は、前記防臭パイプの下端以下の高さ位置から前記トラップ排出口へ向けて排水を排出するのが好ましく、前記ガイド部のガイド部排出口は、平面視で前記トラップ排出口側に向けて扇状に広がる形状を有しているのが好ましい。
【０００９】
これにより、ガイド部を経由する排水はトラップ排出口へ向けて排水を直接排出される一方、防臭パイプの下側が塞がれて浴槽パンを経由する排水の流れが制限されるので、ガイド部を経由する排水をより迅速に排出することができ、排出時間の大幅な短縮が可能となる。
【００１０】
また、前記ガイド部は、前記防臭パイプ側へ突出する方向決めリブを備え、当該方向決めリブと前記防臭パイプの内側に設けられたガイド受けとを合致させて方向決めがなされるとするのが好ましい。
【００１１】
さらに、前記ガイド部は、上方へ引き上げることで前記防臭パイプから着脱可能とすれば、ガイド部の清掃性や施工時の操作性が良好となる。
【００１２】
また、本発明は、洗い場パンと、２つ以上の排水口を有する浴槽が載置される浴槽パンとを備える浴室の排水構造に用いられる排水トラップであって、前記浴槽の一方の排水口からの排水を浴槽配管を介して排水トラップ内に流入させるガイド部と、前記浴槽の他方の排水口からの排水を前記浴槽パン上に一時的に貯留させる貯水部からの排水を排水トラップ内に流入させるトラップ排水口と、防臭パイプと、側面方向にトラップ排出口とを備え、前記ガイド部は、前記防臭パイプ内に配置され、排水トラップに防臭パイプを取り付けたまま前記ガイド部をトラップ排水口から着脱可能とした排水トラップとして構成することもできる。
【発明の効果】
【００１３】
以上のように、本発明に係る浴室の排水構造によれば、浴槽に複数の排水口を設けて、一方の排水口からは浴槽配管からガイド部を経由して排水トラップ内へ導き直接トラップ排出口へ向けて優先的に排出させ、他方の排水口からは浴槽パン上に一時的に貯留させつつ、ガイド部により排水の流れを制限しているので、ガイド部経由の排水を迅速に行うことができ、排水性能の向上、ひいては、排水時間の大幅な短縮が可能となる。
【図面の簡単な説明】
【００１４】
【図１】浴室の排水構造の構成を示す図である。
【図２】排水トラップ部を拡大して示す図である。
【図３】トラップ本体の構成を示す図である。
【図４】ガイド部の平面図である。
【図５】ガイド部のＡ−Ａ線断面図である。
【発明を実施するための形態】
【００１５】
以下、本発明に係る浴室の排水構造について図を参照しながら説明する。
【００１６】
図１は、浴室の排水構造の構成を示す図である。
【００１７】
本実施の形態に係る浴室の排水構造は、排水トラップ１０と、洗い場パン４０と、機械浴槽３０と、浴槽パン２０とを備えている。
【００１８】
機械浴槽３０は、浴槽パン２０の上に載置されており、洗い場パン４０側に開閉する扉３１を備えている。機械浴槽３０は、浴槽配管１１を介して排水トラップ１０へ排水するための第１排水口３２、および、浴槽パン２０上の貯水部２１へ排水するための第２排水口３３の複数の排水口を備えている。
【００１９】
浴槽パン２０は、機械浴槽３０の第２排水口３３からの排水を一時的に貯留させるための空間である貯水部２１を備えている。ここでは、洗い場パン４０と段差を設けて浴槽パン２０を洗い場パン４０よりも低い位置とし、浴槽パン２０上に排水を溜められるようにすることで貯水部２１を形成している。貯水部２１で一時的に貯留された排水は、トラップ排水口１７から順次排出される。なお、図１では機械浴槽３０の第２排水口３３からの排水は貯水部２１へ直接垂れ流す構成としているが、浴槽パン２０上への排水の落下音を防ぐために浴槽パン２０の上に導く配管を設けるとしてもよい。
【００２０】
排水トラップ１０は、浴槽パン２０と洗い場パン４０との境界部分に設置され、ガイド部１２と防臭パイプ１３とを備えている。ガイド部１２は、機械浴槽３０の第１排水口３２から浴槽配管１１を介して排水トラップ１０へ導かれた排水を防臭パイプ１３の下端以下の高さ位置から排出するための部材である。浴槽配管１１は硬質管で構成されているが、部分的にビニール管などの可撓管が用いられていてもよい。機械浴槽３０の第１排水口３２からの排水は、ガイド部１２を経て洗い場パン４０の下にある床下配管４１へと導かれ、機械浴槽３０の第２排水口３３からの排水は、トラップ排水口１７を経て床下配管４１へと導かれるようになっている。つまり、トラップ排水口１７は、洗い場パン４０からの排水と浴槽パン２０上の貯水部２１からの排水が流入する、兼用の排水口となっている。
【００２１】
図２は、排水トラップ部を拡大して示す図であり、トラップ本体の構成を示す図である。
【００２２】
排水トラップ１０は、防臭パイプ１３を備えており、側面方向にトラップ排出口１６を備えたランニングトラップ構造となっている。
【００２３】
防臭パイプ１３は、その上端がトラップ排水口１７に据え付けられ、トラップ排水口１７から流入した排水を排水トラップ１０内へ案内する。防臭パイプ１３の下端は、排水トラップ１０内の、封水と呼ばれる排水の溜り水部分内に配置されることで、トラップ排水口１７からトラップ排出口１６までの流路上に、封水による満水部分を形成し、トラップ排出口１６からトラップ排水口１７へ臭気などが逆流することを防ぐ。
【００２４】
また、排水トラップ１０は、正面視で下端がトラップ排出口１６に向かって屈曲したガイド部１２を備えており、ガイド部１２が防臭パイプ１３の上方からトラップ内に流入する排水（機械浴槽３０の第１排水口３２からの排水）を、防臭パイプ１３の下端と同じ高さ又はそれよりも下方からトラップ排出口１６へ向けて直接排出する。このガイド部１２は、方向決めリブ１４を備えており、防臭パイプ１３の内側に設けられたガイド受け１３ａに、この方向決めリブ１４を合わせることによりガイド部排出口１５の排水方向が決定され、排水トラップ１０の本体にガイド部１２が取り付けられるようになっている。なお、防臭パイプ１３が排水トラップ１０に取り付けられた状態でガイド部１２をトラップ排水口１７から垂直に引き上げれば、ガイド部１２を排水トラップ１０から取り外すことができ、トラップ排水口１７からガイド部１２を防臭パイプ１３に取り付けられるようにして着脱可能とするのが清掃性や操作性の点で好ましい。
【００２５】
図４はガイド部１２の平面図であり、図５はガイド部１２のＡ−Ａ線断面図である。
【００２６】
図４に示すように、トラップ排出口１６側にあるガイド部１２のガイド部排出口１５は、平面視でハの字状（扇状）に広がる形状を有しており、ガイド部１２の排水性能を向上させるとともに、防臭パイプ１３の下側を塞ぐようにして浴槽パン２０からの排水（機械浴槽３０の第２排水口３３からの排水）を制限している。浴槽配管１１を介した第１排水口３２からの排水も、浴槽パン２０上の貯水部２１およびトラップ排水口１７を介した第２排水口３３からの排水も、単純に一つの排水トラップ１０で処理するとすれば、機械浴槽３０の排水口を複数にする意義が薄れてしまう。排水トラップ１０が浴槽配管１１からの排水も浴槽パン２０からの排水も同時に処理するため、浴槽配管１１からの排水は、浴槽パン２０上の貯水部２１に排水が増すにつれて遅くなる。この点、本実施形態では、ガイド部１２を、ガイド部排出口１５がトラップ排出口１６へ向くよう防臭パイプ１３内に方向決め可能に配置し、さらにガイド部排出口１５が平面視でトラップ排出口１６側に向けて広がる形状とすることで、排水性能を向上させている。すなわち、ガイド部１２によって浴槽パン２０上の貯水部２１からの排水よりも浴槽配管１１からの排水がトラップ排出口１６に向かって流れるように促し、浴槽配管１１からの排水を優先的に処理するようになっている。このように、浴槽パン２０上の貯水部２１からの排水の速度を制限し、浴槽配管１１からの排水を迅速にすることで、第１排水口３２および第２排水口３３という２つの浴槽排水口から浴槽内の水は迅速に排出され、排水口が増えた分、排水性能が向上するという効果を得ることが可能になっている。
【００２７】
ガイド部１２の方向決めリブ１４は、ガイド部排出口１５の排水方向を決めるためにガイド部１２から防臭パイプ１３側へ突出して形成されたリブである。防臭パイプ１３の内側に突出して設けられたガイド受け１３ａに方向決めリブ１４を嵌合等して合致させることにより、ガイド部１２は防臭パイプ１３内に取り付けられる。ここでは、方向決めリブ１４をガイド部排出口１５の排水方向と反対方向へ突出するように形成しているが、ガイド部排出口１５の排水方向を規定することができれば、リブを形成する向きはこれに限る必要はなく、またリブの数も１つに限定されるものではない。
【００２８】
このように、本実施の形態に係る浴室の排水構造によれば、浴槽内に複数の排水口を設けて、一方の排水口からの排水を浴槽配管１１からガイド部１２を経由させて排水トラップ１０へと導き、他方の排水口からの排水を浴槽パン２０上の貯水部２１に一時的に貯留しながらガイド部１２を経ることなくトラップ排水口１７から排水トラップ１０へと導いている。ガイド部１２は、ガイド部排出口１５からの排水が排水トラップ１０の側面にあるトラップ排出口１６へと向くように方向決めリブ１４と防臭パイプ１３に設けられたガイド受け１３ａとにより方向決めがなされて防臭パイプ１３内に取り付けられる。このとき、ガイド部排出口１５は、平面視でトラップ排出口１６側に向けて扇状に広がって防臭パイプ１３の下端以下の高さ位置からトラップ排出口１６へ向けて排水を直接排出するとともに、防臭パイプ１３の下側を塞いで浴槽パン２０上からの排水の流れを制限するので、浴槽配管１１からの排水が迅速に行われて、排水口を２つ設けたことによる排水性能の向上を享受することができる。
【００２９】
以上、本発明に係る浴室の排水構造について、実施形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００３０】
例えば、上記実施の形態では、機械浴槽を用いた場合を記載しているが、本発明はどのような浴槽に利用される浴室の排水構造に用いてもよい。
【００３１】
また、上記実施の形態では、洗い場パン４０と浴槽パン２０との間に段差を設けることで浴槽パン２０上に貯水部２１を形成することとしたが、別途貯水用の槽を浴槽パン２０上に用意して貯水部としてもよい。
【産業上の利用可能性】
【００３２】
本発明は、介護用浴槽や機械浴槽など、短時間で排水を完了させる必要がある浴槽を利用する浴室の排水構造として有用である。
【符号の説明】
【００３３】
１０    排水トラップ
１１    浴槽配管
１２    ガイド部
１３    防臭パイプ
１３ａ  ガイド受け
１４    方向決めリブ
１５    ガイド部排出口
１６    トラップ排出口
１７    トラップ排水口
２０    浴槽パン
２１    貯水部
３０    機械浴槽
３１    扉
３２    第１排水口
３３    第２排水口
４０    洗い場パン
４１    床下配管
【図１】
0006503263.tif 000002
【図２】
0006503263.tif 000003
【図３】
0006503263.tif 000004
【図４】
0006503263.tif 000005
【図５】
0006503263.tif 000006